(57)【特許請求の範囲】
【請求項１】
ネットワーク上に設置され、加入者の通信端末からの接続制御要求に応じて加入者情報の検索を行う加入者検索手段と、検索された加入者の通信端末の接続制御を行う接続制御手段と、を備えた接続制御装置であって、
固定通信網における加入者情報を蓄積する内部アクセス可能な内部加入者データベースを備えると共に、
前記加入者検索手段は、接続制御要求時に前記通信端末から送信された接続要求情報に基づいて加入者情報の収容方式を判定し、前記内部加入者データベースと、ネットワークを介して外部アクセス可能なコンピュータに設けられた移動体通信網における加入者情報を蓄積する外部加入者データベースと、のいずれかに対して加入者情報の検索を行うと共に、前記接続要求情報に移動体通信を表す情報が存在している場合には加入者収容方式を外部収容であると判定して、前記外部加入者データベースにアクセスして加入者情報の検索を行い、前記接続要求情報に移動体通信を表す情報が存在していない場合には加入者収容方式を内部収容であると判定して、前記内部加入者データベースに対して加入者情報の検索を行う、
ことを特徴とする接続制御装置。
【請求項２】
前記接続制御手段は、ＳＩＰプロトコルにて前記通信端末の接続制御を行うと共に、
前記加入者検索手段は、前記接続要求情報であるＳＩＰヘッダ内の情報に基づいて一方のデータベースに対して加入者情報の検索を行う、ことを特徴とする請求項１に記載の接続制御装置。
【請求項３】
前記接続制御手段は、前記接続制御時に、前記加入者検索手段にて検索された加入者情報に応じて予め設定された付加接続制御サービスを提供する、ことを特徴とする請求項１，又は２に記載の接続制御装置。
【請求項４】
ネットワーク上に設置され、加入者の通信端末の接続制御を行う接続制御装置に、
加入者の通信端末からの接続制御要求に応じて、固定通信網における加入者情報を蓄積する内部アクセス可能な内部加入者データベースと、ネットワークを介して外部アクセス可能なコンピュータに設けられた移動体通信網における加入者情報を蓄積する外部加入者データベースと、のいずれかに対して加入者情報の検索を行う加入者情報の検索を行う加入者検索手段と、
検索された加入者の通信端末の接続制御を行う接続制御手段と、
を実現させると共に、
前記加入者検索手段は、接続制御要求時に前記通信端末から送信された接続要求情報に基づいて加入者情報の収容方式を判定して、前記内部加入者データベースと前記外部加入者データベースと、のいずれかに対して加入者情報の検索を行うと共に、前記接続要求情報に移動体通信を表す情報が存在している場合には加入者収容方式を外部収容であると判定して、前記外部加入者データベースにアクセスして加入者情報の検索を行い、前記接続要求情報に移動体通信を表す情報が存在していない場合には加入者収容方式を内部収容であると判定して、前記内部加入者データベースに対して加入者情報の検索を行う、
ことを実現させるためのプログラム。
【請求項５】
ネットワーク上に設置された接続制御装置にて、加入者の通信端末の接続制御を行う方法であって、
加入者の通信端末からの接続制御要求に応じて加入者情報の検索を行う加入者検索工程と、検索された加入者の通信端末の接続制御を行う接続制御工程と、を有し、
前記加入者検索工程は、接続制御要求時に前記通信端末から送信された接続要求情報に基づいて加入者情報の収容方式を判定し、固定通信網における加入者情報を蓄積する内部アクセス可能な内部加入者データベースと、ネットワークを介して外部アクセス可能なコンピュータに設けられた移動体通信網における加入者情報を蓄積する外部加入者データベースと、のいずれかに対して加入者情報の検索を行うと共に、前記接続要求情報に移動体通信を表す情報が存在している場合には加入者収容方式を外部収容であると判定して、前記外部加入者データベースにアクセスして加入者情報の検索を行い、前記接続要求情報に移動体通信を表す情報が存在していない場合には加入者収容方式を内部収容であると判定して、前記内部加入者データベースに対して加入者情報の検索を行う、
ことを特徴とする接続制御方法。
【発明の詳細な説明】
【技術分野】
【０００１】
本発明は、接続制御装置にかかり、特に、ネットワークを介して通信端末間の接続を制御する接続制御装置に関する。
【背景技術】
【０００２】
従来、ＩＰ（インターネットプロトコル）網上におけるマルチメディア通信を実現するプロトコルとして、ＳＩＰがある。ＳＩＰは、ＳＩＰ端末（クライアント）とＳＩＰサーバとから構成され、ＳＩＰサーバ内部あるいは外部に具備された加入者ＤＢ（データベース）にて、ＳＩＰ端末を管理している。
【０００３】
そして、下記特許文献１には、ＳＩＰによるＩＰ電話の接続制御例が開示されている。この文献のシステムでは、発信者端末から受信したメッセージから発信者識別子を抽出し、これに基づいてテーブルを参照して、当該発信者識別子に対応して契約サービスを提供している。
【０００４】
ここで、上述したようなＩＰ電話などの接続サービスにおいては、固定通信網などでは、加入者情報が記憶された加入者データベースが接続制御を行うＳＩＰサーバ内部に存在する場合と、移動体通信網などでは、加入者データベースがＳＩＰサーバ外部に存在する場合とがある。そして、加入者データベースが外部に存在する場合は、Ｄｉａｍｅｔｅｒなどのプロトコルを利用して、かかる外部のデータベースにＳＩＰサーバはアクセスしている。
【０００５】
【特許文献１】特開２００５−２６９５３４号公報
【発明の開示】
【発明が解決しようとする課題】
【０００６】
しかしながら、上述した従来技術には、次のような問題点があった。まず、従来のＳＩＰサーバでは加入者データベースの配備に応じて、検索するデータベースの振り分けが考慮されていないため、内部ＤＢと外部ＤＢのいずれか一方の加入者構成に対してのみ接続制御サービスを実現することができない、という問題があった。また、この問題と関連して、セッション制御および付加サービス制御が加入者配備方式に依存しているため、それぞれの加入者構成に応じたＳＩＰサーバを用意しなければならない、という問題があった。つまり、上述した従来例においては、ＳＩＰサーバの設置台数の増加を招き、通信コストが増大するという問題が生じ、さらには、固定通信網と移動通信網の両方式に対応してＳＩＰサーバの機能や付加サービスを流用することができないことから、提供するサービスの向上を図ることができない、という問題が生じていた。
【０００７】
このため、本発明では、上記従来例の有する不都合を改善し、特に、設備コストを抑制すると共に、通信接続サービスの向上を図ること、をその目的とする。
【課題を解決するための手段】
【０００８】
そこで、本発明の一形態である接続制御装置は、
ネットワーク上に設置され、加入者の通信端末からの接続制御要求に応じて加入者情報の検索を行う加入者検索手段と、検索された加入者の通信端末の接続制御を行う接続制御手段と、を備えた接続制御装置であって、
加入者情報を蓄積する内部アクセス可能な内部加入者データベースを備えると共に、
加入者検索手段は、内部加入者データベースと、ネットワークを介して外部アクセス可能なコンピュータに設けられた加入者情報を蓄積する外部加入者データベースと、のいずれかに対して加入者情報の検索を行う、
ことを特徴としている。
【０００９】
上記発明によると、通信端末から接続要求があったときに、内部加入者データベースあるいは外部加入者データベースのいずれかにアクセスし、加入者情報の検索を行う。そして、検索された加入者の通信端末の接続制御を行う。従って、１台の接続制御装置にて複数の加入者収容方式に対応することができ、設備コストの低減を図ることができる。さらに、あらゆる収容方式の加入者に対しても接続サービスを提供でき、接続制御サービスの向上を図ることができる。
【００１０】
そして、加入者検索手段は、内部加入者データベースあるいは外部加入者データベースのうち、予め設定された一方のデータベースに対して加入者情報の検索を行う、ことを特徴としている。これにより、予め接続制御サービスを提供する加入者の収容方式が特定されている場合には、かかる加入者情報が収容されているデータベース内を検索するよう設定しておくことで加入者情報を検索することができる。従って、接続制御装置をいずれの加入者収容方式に対しても利用することができるよう製造することで、製造する装置の種類を減少させることができ、設備コストを低廉にでき、低コストにて接続制御サービスを提供することができる。
【００１１】
あるいは、加入者検索手段は、接続制御要求時に通信端末から送信された接続要求情報に基づいて、内部加入者データベースあるいは外部加入者データベースのうち一方のデータベースに対して加入者情報の検索を行う、ことを特徴としている。これにより、接続制御要求をしてきた加入者の加入者収容方式を自動的に判別して、その結果に応じた一方のデータベースを検索することで、適切かつ自動的に加入者の検索を行うことができる。
【００１２】
また、内部加入者データベースは、固定通信網における加入者情報を含むと共に、外部加入者データベースは、移動体通信網における加入者情報を含む、ことを特徴としている。そして、接続制御手段は、ＳＩＰプロトコルにて通信端末の接続制御を行うと共に、加入者検索手段は、接続要求情報であるＳＩＰヘッダ内の情報に基づいて一方のデータベースに対して加入者情報の検索を行う、ことを特徴としている。特に、加入者検索手段は、ＳＩＰヘッダに移動体通信であることを表す情報が含まれている場合に、外部加入者データベースに対して加入者情報の検索を行う、ことを特徴としている。これにより、特に、固定通信網と移動体通信網とで加入者収容方式が分かれている場合に、ＳＩＰヘッド内の情報から移動体通信網であることを判定できるため、容易な処理にて適切に加入者情報の検索を行うことができる。
【００１３】
さらに、接続制御手段は、接続制御時に、加入者検索手段にて検索された加入者情報に応じて予め設定された付加接続制御サービスを提供する、ことを特徴としている。これにより、接続制御時に、加入者収容方式によらず、加入者に対して付加的な接続制御サービスを提供することができる。従って、１台の接続制御装置で異なる加入者収容方式の加入者に対しても付加サービスを提供することができ、設備コストの低減を図ることができる。
【００１４】
また、本発明の他の形態であるプログラムは、
ネットワーク上に設置され、加入者の通信端末の接続制御を行う接続制御装置に、
加入者の通信端末からの接続制御要求に応じて、加入者情報を蓄積する内部アクセス可能な内部加入者データベースと、ネットワークを介して外部アクセス可能なコンピュータに設けられた加入者情報を蓄積する外部加入者データベースと、のいずれかに対して加入者情報の検索を行う加入者情報の検索を行う加入者検索手段と、
検索された加入者の通信端末の接続制御を行う接続制御手段と、
を実現させる、ことを特徴としている。
【００１５】
さらに、本発明の他の形態である接続制御方法は、
ネットワーク上に設置された接続制御装置にて、加入者の通信端末の接続制御を行う方法であって、
加入者の通信端末からの接続制御要求に応じて加入者情報の検索を行う加入者検索工程と、検索された加入者の通信端末の接続制御を行う接続制御工程と、を有し、
加入者検索工程は、加入者情報を蓄積する内部アクセス可能な内部加入者データベースと、ネットワークを介して外部アクセス可能なコンピュータに設けられた加入者情報を蓄積する外部加入者データベースと、のいずれかに対して加入者情報の検索を行う、
ことを特徴としている。
【００１６】
そして、加入者検索工程は、内部加入者データベースあるいは外部加入者データベースのうち、予め設定された一方のデータベースに対して加入者情報の検索を行う、ことを特徴としている。あるいは、加入者検索工程は、接続制御要求時に通信端末から送信された接続要求情報に基づいて、内部加入者データベースあるいは外部加入者データベースのうち一方のデータベースに対して加入者情報の検索を行う、ことを特徴としている。
【００１７】
上記構成のプログラム、方法の発明であっても、上述した接続制御装置と同様の作用を有するため、上記本発明の目的を達成することができる。
【発明の効果】
【００１８】
本発明は、以上のように構成され機能するので、これによると、１台の接続制御装置にて複数の加入者収容方式に対応して通信端末の接続制御を実現できるため、設備コストの低減を図ることができ、さらに、いずれの加入者に対しても接続サービスを提供できるため、接続制御サービスの向上を図ることができる、という従来にない優れた効果を有する。
【発明を実施するための最良の形態】
【００１９】
本発明は、マルチメディア通信ネットワークにおけるＳＩＰ（Ｓｅｓｓｉｏｎ  Ｉｎｉｔｉａｔｉｏｎ  Ｐｒｏｔｏｃｏｌ）サーバにおいて、収容加入者の情報が各ＳＩＰサーバ内に分散配備された固定通信網と、中央データベースに集中配備された移動体通信網の両方式に対応し、異なる通信網間において、ＳＩＰサーバの機能や付加サービスの流用を可能とする、ことに特徴を有する。
【００２０】
なお、以下の実施例では、固定通信網としてＩＰ電話、移動体通信網として第３世代携帯電話といった通信端末の接続制御を行う場合を例示して説明するが、その他の通信端末の接続制御を行う場合にも適用可能である。また、接続制御を行うプロトコルは、ＳＩＰプロトコルであることに限定されない。
【実施例１】
【００２１】
本発明の第１の実施例を、図１乃至図３を参照して説明する。図１は、全体の構成を示すブロック図であり、図２は、ＳＩＰサーバの構成を示す機能ブロック図である。図３は、ＳＩＰサーバの動作を示すフローチャートである。
【００２２】
［構成］
図１に示すように、本発明では、加入者側に設置されたＩＰ電話や携帯電話などのＳＩＰ端末装置や、他のＳＩＰサーバなどを表すＳＩＰ装置１，４と、これらＳＩＰ装置１，４からのＳＩＰ信号を処理してセッション制御および加入者管理並びにルーティングを実施するＳＩＰサーバ２（接続制御装置）と、加入者データベース（ＤＢ）を保持する加入者サーバ３と、を備えている。なお、ＳＩＰサーバ２と加入者サーバ３とは、ネットワークＮ上に設置され相互に接続されている。また、ＳＩＰサーバ２は、ＳＩＰ装置１，４とネットワークＮを介して接続されている。以下、図２を参照して、各構成について詳述する。
【００２３】
まず、ＳＩＰ装置１，４は、上述したように、ＩＰ電話や携帯電話などの加入者が直接操作する通信端末、あるいは、他のＳＩＰサーバである。そして、ＳＩＰ装置が加入者が操作する通信端末の場合には、直接、発呼時などに接続制御要求メッセージ（接続制御要求情報）がＳＩＰサーバ２に対して発せられる。また、ＳＩＰ装置がＳＩＰサーバである場合には、かかるＳＩＰサーバの配下にある他のＩＰ電話などの通信端末から発せられた発呼時の接続制御要求メッセージが、ＳＩＰ装置としてのＳＩＰサーバを介して、図示するＳＩＰサーバ２に対して発せられる。
【００２４】
また、ＳＩＰ装置１，４は、着信側となる場合には、ＳＩＰサーバ２から呼び出しを受ける。なお、ＳＩＰ装置１，４は、ＳＩＰサーバ２とＳＩＰプロトコルにて通信を行う。
【００２５】
ＳＩＰサーバ２は、ＳＩＰ装置１，４とＳＩＰプロトコルにて通信可能であり、また、加入者サーバ３にはＤｉａｍｅｔｅｒプロトコルにて通信可能なサーバコンピュータである。そして、ＣＰＵといった演算装置に所定のプログラムが組み込まれることで、セッション制御部２１と、加入者管理部２２と、付加サービス制御部２３と、が構築されている。また、ＳＩＰサーバ２のハードディスクドライブといった記憶装置には、ＳＩＰ装置１，４となり得る通信端末の加入者情報を蓄積した内部加入者データベース（ＤＢ）２４が形成されている。
【００２６】
ここで、内部加入者ＤＢ２４は、ＳＩＰサーバ２内に設けられていることから、当該ＳＩＰサーバ２にて内部アクセス可能である。そして、内部加入者ＤＢ２４には、固定通信網における加入者情報が蓄積されている。つまり、固定通信網の場合には、収容加入者の加入者情報が各ＳＩＰサーバ内に分散配置されている。そして、内部加入者ＤＢ２４内の加入者情報は、加入者毎に固有の識別情報、例えば、電話番号などが含まれており、かかる識別情報によって後述するように加入者管理部２２にて検索可能である。なお、加入者情報としては、加入者の位置情報や、加入者が利用可能な付加サービスを特定する情報などが記憶されている。
【００２７】
また、セッション制御部２１（接続制御手段）は、ＳＩＰ信号を解釈するとともに、セッション管理機能を具備する。具体的に、セッション制御部２１は、ＳＩＰ装置１から送信されるＳＩＰプロトコルによるＳＩＰ信号（接続制御要求メッセージなど）を受信し、発信側もしくは着信側の加入者情報を加入者管理部２３に問い合わせる。そして、この問合せに対する応答として、加入者管理部２２から検索された加入者情報を受信し、それぞれの加入者に適用される付加サービスが存在する場合は、付加サービス制御部２３に制御を渡す。これに応じて、付加サービス制御部２３は、受け付けた加入者情報に対応する付加サービス処理を実行する。そして、付加サービス処理が終了すると、セッション制御部２１は、ＳＩＰ装置４に付加サービス制御結果を反映したＳＩＰプロトコル信号を送信し、接続制御を行う。ここで、セッション制御部２１による接続制御は、例えば、単に着信側のＳＩＰ装置４を呼び出してセッションを確立する処理である。あるいは、セッション制御部２１による接続制御時に、付加サービス制御部２３にて実行された付加サービスを接続制御時に反映して、ＳＩＰ装置１，４を転送先端末やメディアサーバ、会議サーバなどに接続し、転送やメッセージサービス、三者通話、リングバックメロディなどのサービスが提供する処理もある。
【００２８】
また、加入者管理部２２（加入者検索手段）は、セッション制御部２１から受け付けた情報、つまり、ＳＩＰ装置１，４からの接続制御要求情報に基づいて、加入者情報を検索する。このとき、加入者管理部２２は、接続要求をしてきている加入者の加入者情報の収容状況に応じて、異なるデータベースを検索する。具体的には、接続要求をしてきたＳＩＰ装置１から送信されたＳＩＰヘッダに、移動体通信であることを表す「３ＧＰＰ  ＳＩＰ」（移動体ＳＩＰ標準）という情報が存在するか否かによって、上述した内部加入者ＤＢ２４内から検索するか、あるいは、後述する外部加入者データベース（ＤＢ）３１内から検索するか、を判定する。そして、上記情報が存在しない場合には、固定通信網の加入者であると判定、つまり、加入者情報は内部収容であると判定し、上述した内部加入者ＤＢ２４内から加入者情報を検索する。一方、ＳＩＰヘッダ内に上記情報が存在する場合には、移動体通信網の加入者であると判定、つまり、加入者情報は外部収容であると判定し、後述するように外部に配置された加入者サーバ３に対して、Ｄｉａｍｅｔｅｒプロトコル信号もしくは独自プロトコル信号を利用し、加入者情報の検索要求を行う。
【００２９】
なお、加入者管理部２２による加入者情報の検索は、発信側の加入者あるいは着信側の加入者に対するもののいずれか、あるいは、両方について行われ、セッション制御部２１に通知される。そして、上述した付加サービスや接続制御処理は、発信側の加入者情報に基づいて実行されてもよく、着信側の加入者情報に基づいて実行されてもよい。
【００３０】
次に、加入者サーバ３について説明する。加入者サーバ３は、移動体通信網の加入者情報を集中配備するよう蓄積した中央データベースとして機能している。具体的には、第３世代携帯電話の加入者情報を蓄積したデータベースとして、ＳＩＰサーバ２の外部に配置される外部加入者データベース（ＤＢ）３１を装備している。そして、この加入者サーバ３は、上述したように、ＳＩＰサーバ２の加入者管理部２２からの加入者情報の検索要求を受け付けて外部加入者ＤＢ３１内を検索する。具体的には、加入者毎に固有の識別情報、例えば、電話番号などを用いることで検索する。そして、検索した加入者情報をＳＩＰサーバ２に返送する機能を有する。なお、外部加入者ＤＢ３１内の加入者情報は、上述した内部加入者ＤＢ２４内の加入者情報と同様に、加入者毎に固有の識別情報、例えば、電話番号などが含まれており、加入者の位置情報や、加入者が利用可能な付加サービスを特定する情報などが記憶されている。
【００３１】
［動作］
次に、上記構成のＳＩＰサーバ２の動作を、図３のフローチャートを参照して説明する。まず、ＳＩＰサーバ２は、ＳＩＰ装置１からＲＥＧＩＳＴＥＲやＩＮＶＩＴＥなどのＳＩＰプロトコル信号を受信する（ステップＳ１）。続いて、セッション制御部２１は、受信したＳＩＰプロトコル信号をデコードし、ＳＩＰヘッダ情報などから発信加入者を特定する識別子（電話番号やＳＩＰ−ＵＲＬやＴＥＬ−ＵＲＬ等）を取得する。同時に、ＳＩＰヘッダ情報に、移動体通信を表す情報が存在する場合にはこれを取得する（ステップＳ２）。続いて、セッション制御部２１は、発信加入者情報を取得するために、発信加入者を特定する識別子、及び移動体通信を表す情報を含むパラメータが、加入者管理部２２に渡される。
【００３２】
続いて、加入者管理部２２は、発信加入者の加入者情報の収容方式が、内部収容か外部収容かを判定する（ステップＳ３）。このとき、上述したようにＳＩＰヘッダ情報に移動体通信を表す情報が存在していない場合には、加入者収容方式を内部収容であると判定する（ステップＳ４にて「内部」判定）。一方、ＳＩＰヘッダ情報に移動体通信を表す情報が存在している場合には、加入者収容方式を外部収容であると判定する（ステップＳ４にて「外部」判定）。そして、内部収容であるとの判定の場合には、ＳＩＰサーバ２内の内部加入者ＤＢ２４を検索して加入者情報を取得し（ステップＳ５，Ｓ８）、取得した加入者情報をセッション制御部２１に返信する。一方、加入者収容方式が外部収容だった場合には、外部の加入者サーバ３にＤｉａｍｅｔｅｒプロトコルや独自プロトコルによってアクセスし（ステップＳ６）、加入者情報の取得を要求する。このとき、Ｄｉａｍｅｔｅｒプロトコルによる要求は、例えば、ＵＡＲ（Ｕｓｅｒ−Ａｕｔｈｏｒｉｚａｔｉｏｎ−Ｒｅｑｕｅｓｔ）コマンドやＳＡＲ（Ｓｅｒｖｅｒ−Ａｓｓｉｇｎｍｅｎｔ−Ｒｅｑｕｅｓｔ）コマンドやＬＩＲ（Ｌｏｃａｔｉｏｎ−Ｉｎｆｏ−Ｒｅｑｕｅｓｔ）コマンドやＭＡＲ（Ｍｕｌｔｉｍｅｄｉａ−Ａｕｔｈ−Ｒｅｑｕｅｓｔ）コマンドなどを利用する。その後、外部の加入者サーバ３からのＤｉａｍｅｔｅｒプロトコルもしくは独自プロトコルによる応答を受け付けることで、加入者管理部２２は要求した加入者情報を受信し取得することができる（ステップＳ７，Ｓ８）。なお、Ｄｉａｍｅｔｅｒプロトコルによる応答は、ＵＡＡ（Ｕｓｅｒ−Ａｕｔｈｏｒｉｚａｔｉｏｎ−Ａｎｓｗｅｒ）コマンドやＳＡＡ（Ｓｅｒｖｅｒ−Ａｓｓｉｇｎｍｅｎｔ−Ｒｅｑｕｅｓｔ）コマンドやＬＩＲ（Ｌｏｃａｔｉｏｎ−Ｉｎｆｏ−Ａｎｓｗｅｒ）コマンドやＭＡＡ（Ｍｕｌｔｉｍｅｄｉａ−Ａｕｔｈ−Ａｎｓｗｅｒ）コマンドなどを利用する。そして、受信した加入者情報を、セッション制御部２１に返信する（加入者検索工程）。
【００３３】
続いて、セッション制御部２１は、取得した加入者情報や事前に設定された情報や受信したＳＩＰヘッダ情報などから、発信加入者が利用できる付加サービスを判定し（ステップＳ９）、付加サービス制御部２３に付加サービスの制御を実行させる。そして、セッション制御部２１は、ＳＩＰ信号のＲｅｑｕｅｓｔ−ＵＲＩのドメイン名から、もしくは着信加入者のＩＰアドレスを、加入者管理部２２に問い合わせた結果である加入者情報などから送信先ＩＰアドレスとして決定する。最後に、セッション制御部２１は、ＳＩＰプロトコル信号をエンコードし、決定した送信先ＩＰアドレスを保持するＳＩＰ装置４に送信する（ステップＳ１０、接続制御工程）。このとき、上述した付加サービスの実行結果が反映される。つまり、例えば、着信側のＳＩＰ装置４に、リングバックトーンが流れるなど、付加サービスが提供されることとなる。
【００３４】
以上のように、本発明によると、加入者管理部２２が加入者収容方式を判断し、内部ＤＢアクセスと外部ＤＢアクセスを振り分け、他のセッション制御部２１や付加サービス制御部２３などに対して加入者収容方式を隠蔽して加入者情報を検索するため、固定通信網／移動体網における加入者配置方式に依存せず、ＳＩＰサーバ２のセッション制御機能や付加サービス機能を利用することができる。その結果、固定通信網（あるいは移動体通信網）で実現した付加サービスやセッション制御機能を、移動体通信網（あるいは固定通信網）にそのまま再利用可能となる。従って、１台の接続制御装置にて複数の加入者収容方式に対応することができ、設備コストの低減を図ることができると共に、さらに、いずれの加入者に対しても接続サービスを提供でき、接続制御サービスの向上を図ることができる。
【実施例２】
【００３５】
次に、本発明の第２の実施例を説明する。本実施例におけるＳＩＰサーバ２では、接続要求情報に応じて自動的に検索するデータベースを切り替える機能は有しておらず、加入者収容方式を予め設定する設定スイッチが設けられており、かかるスイッチをいずれかに設定しておくことで、特定のデータベースから加入者情報を検索する機能を有する。
【００３６】
具体的には、加入者管理部２２にて加入者収容方式の設定が可能であり、ＳＩＰサーバ２を利用する状況に応じて予め設定しておく。つまり、固定通信網で利用するようＳＩＰサーバ２を設置する場合には、内部加入者ＤＢ３１を検索するよう設定しておき、移動体通信網で利用するようＳＩＰサーバ２を設置する場合には、外部の加入者サーバ３にアクセスして外部加入者ＤＢ３１を検索するよう設定しておく。
【００３７】
これにより、ＳＩＰサーバ２を利用する場所に応じた加入者収容方式に対応させて、加入者情報を検索するデータベースを予め設定しておくことで、ＳＩＰサーバ２をいずれの加入者収容方式に対しても利用することができる。このように、ＳＩＰサーバ２の汎用性を持たせることで、設備コストの低廉化を図ることができ、接続制御サービスを低コストにて提供することができる。
【産業上の利用可能性】
【００３８】
本発明は、固定通信網および移動体通信網もしくは固定移動体融合通信網において、ＳＩＰを用いたマルチメディアセッション通信を実現するＳＩＰサーバに適用できる。
【図面の簡単な説明】
【００３９】
【図１】本発明の全体構成を示すブロック図である。
【図２】ＳＩＰサーバの構成を示す機能ブロック図である。
【図３】ＳＩＰサーバの動作を示すフローチャートである。
【符号の説明】
【００４０】
１，４  ＳＩＰ装置
２  ＳＩＰサーバ
３  加入者サーバ
２１  セッション制御部
２２  加入者管理部
２３  付加サービス制御部
２４  内部加入者データベース
３１  外部加入者データベース
【図１】
0004747957.tif 000002
【図２】
0004747957.tif 000003
【図３】
0004747957.tif 000004